(57)【要約】【課題】安価な費用でカードの偽造等による第三者のカード不正使用を防止することができるようにする。【解決手段】カードリーダ部１３がカードの磁気ストライプから読取った個人識別情報と、無線タグリーダライタ部１４がカードに付された無線タグから読取った個人識別情報と、無線タグリーダライタ部１４がカードケースに付された無線タグから読取った個人識別情報とを照合し、また無線タグリーダライタ部１４がカードに付された無線タグから読取った本人認証記録情報とカードケースに付された無線タグから読取った本人認証記録情報とを照合して本人認証を行うようにした。【選択図】        図１
2008210044.tif 000002
【特許請求の範囲】
【請求項１】
カードリーダ部を有し、カードの磁気ストライプに記録された個人識別情報を読取って本人認証を行う個人認証装置において、
利用者を識別するための個人識別情報および過去に行われた本人認証で本人であることが確認されたことを示す本人認証記録情報を記憶し、カードに付された無線タグと、
前記カードに付された無線タグに記憶される個人識別情報および本人認証記録情報と同じ個人識別情報および本人認証記録情報を記憶し、前記カードとともに使用されるカードケースに付された無線タグと、
前記カードおよびカードケースに付された無線タグに記憶された個人識別情報および本人認証記録情報を無線通信で読取る無線タグリーダライタ部と、
カードリーダ部がカードの磁気ストライプから読取った個人識別情報と、前記無線タグリーダライタ部が前記カードに付された無線タグから読取った個人識別情報と、前記無線タグリーダライタ部が前記カードケースに付された無線タグから読取った個人識別情報とを照合し、また前記無線タグリーダライタ部が前記カードに付された無線タグから読取った本人認証記録情報と前記カードケースに付された無線タグから読取った本人認証記録情報とを照合して本人認証を行う制御部とを設けたことを特徴とする個人認証装置。
【請求項２】
請求項１の個人認証装置において、
前記本人認証記録情報を、直近に行われた本人認証で本人であることが確認された時刻情報としたことを特徴とする個人認証装置。
【請求項３】
利用者を識別するための個人識別情報を記憶し、カードに付された無線タグと、
利用者の操作を受け付けるキーボード部および着脱を可能にする接続ケーブルを有する入力ユニットと、
前記入力ユニットに付され、該入力ユニットを識別するための入力ユニット識別情報および該入力ユニットの使用を許可された利用者の個人識別情報を記憶した無線タグと、
前記カードに付された無線タグに記憶された個人識別情報および前記入力ユニットに付された無線タグに記憶された入力ユニット識別情報ならびに個人識別情報を無線通信で読取る無線タグリーダライタ部と、
接続が許可された入力ユニットを示す入力ユニット識別情報を予め記憶する記憶部と、
前記無線タグリーダライタ部が接続された前記入力ユニットに付された無線タグから読取った入力ユニット識別情報を前記記憶部に記憶された入力ユニット識別情報と照合し、また前記無線タグリーダライタ部がカードに付された無線タグから読取った個人識別情報を前記入力ユニットに付された無線タグから読取った個人識別情報と照合して本人認証を行う制御部とを設けたことを特徴とする個人認証装置。
【発明の詳細な説明】
【技術分野】
【０００１】
本発明は、個人が所有するカードを利用してその個人が本人であることを認証する個人認証装置に関する。
【背景技術】
【０００２】
近年、キャッシュカードやクレジットカード等のカードを利用して預金の引き出しや商品の購入等が行えるシステムが普及しているが、このようなシステムが普及するとともにカード所有者以外の第三者が窃取したカードを不正に使用し、またカードを偽造等して不正に使用する犯罪が急増し、大きな社会問題になっている。
このような状況の下、従来の個人認証装置は、カードに備えたＩＣ（Ｉｎｔｅｇｒａｔｅｄ  Ｃｉｒｃｕｉｔ）チップに記憶させておいた指や手のひらの静脈パターン、虹彩、指紋等の生体情報と生体情報読取部で読取った利用者の生体情報とを照合して本人であることを確認する本人認証を行い、第三者によるカードの不正使用を防止するようにしている。
【０００３】
また、カードの表面に重畳記録したカード所有者の生体情報とＩＣチップに記憶させたカード所有者の生体情報および生体情報読取部で読取った利用者の生体情報とを照合して本人認証を行うようにしてカードの偽造等を防止しているものがある（例えば、特許文献１参照）。
【特許文献１】特開２００１−８６３１９号公報（段落「００５５」〜段落「００５６」、図１４）
【発明の開示】
【発明が解決しようとする課題】
【０００４】
しかしながら、上述した従来の技術においては、カード所有者の生体情報を記憶させたＩＣチップを備えたＩＣカードを発行する必要があり、またカード利用者の生体情報を読取る生体情報読取部等を設ける必要があるため、金融機関やクレジットカード会社等は莫大な費用を負担しなければならないという問題がある。
本発明は、このような問題を解決することを課題とする。
【課題を解決するための手段】
【０００５】
そのため、本発明は、カードリーダ部を有し、カードの磁気ストライプに記録された個人識別情報を読取って本人認証を行う個人認証装置において、利用者を識別するための個人識別情報および過去に行われた本人認証で本人であることが確認されたことを示す本人認証記録情報を記憶し、カードに付された無線タグと、前記カードに付された無線タグに記憶される個人識別情報および本人認証記録情報と同じ個人識別情報および本人認証記録情報を記憶し、前記カードとともに使用されるカードケースに付された無線タグと、前記カードおよびカードケースに付された無線タグに記憶された個人識別情報および本人認証記録情報を無線通信で読取る無線タグリーダライタ部と、カードリーダ部がカードの磁気ストライプから読取った個人識別情報と、前記無線タグリーダライタ部が前記カードに付された無線タグから読取った個人識別情報と、前記無線タグリーダライタ部が前記カードケースに付された無線タグから読取った個人識別情報とを照合し、また前記無線タグリーダライタ部が前記カードに付された無線タグから読取った本人認証記録情報と前記カードケースに付された無線タグから読取った本人認証記録情報とを照合して本人認証を行う制御部とを設けたことを特徴とする。
【発明の効果】
【０００６】
このようにした本発明は、金融機関やクレジットカード会社等は莫大な費用を負担することなくカードの偽造等を防止することができるという効果が得られる。
【発明を実施するための最良の形態】
【０００７】
以下、図面を参照して本発明による個人認証装置の実施例を説明する。
【実施例１】
【０００８】
図１は第１の実施例における個人認証装置の構成を示すブロック図、図２は第１の実施例における個人認証装置の外観図である。
図１および図２において、１は個人認証装置であり、利用者の操作を受付け、予め登録された利用者であるか否かの個人認証を行うものである。この個人認証装置１は、例えばコンピュータ等の情報処理装置であり、各種アプリケーションソフトウェアを実行することができ、個人認証の処理を含め各種処理を実行することができるものとする。
【０００９】
また、個人認証装置１は、通信回線３を介してサーバコンピュータ等の情報処理装置である上位装置２と相互に通信可能に接続されている。
１１は表示部であり、ＣＲＴや液晶ディスプレイ等で構成されたものである。この表示部１１は利用者に入力操作等の誘導を行う画面および入力された情報等を表示するものである。
【００１０】
１２はキーボード部であり、英数字キーやファンクションキー等の入力キーで構成され、利用者の操作を受付けて情報を入力するためのものである。
１３はカードリーダ部であり、磁気ヘッド等によりカードの磁気ストライプに記録された情報を読取るカード読取り機構等を備えたものである。このカードリーダ部１３は、利用者の手動操作によりカードガイドに沿って走行されたカードの磁気ストライプに記録された利用者を識別するための利用者識別情報等を読取るものである。
【００１１】
１４は無線タグリーダライタ部であり、無線通信可能な無線ＩＣタグとの間で無線通信を行うものである。この無線タグリーダライタ部１４は個人認証装置１を操作する利用者が所持するカードおよびそのカードを保持するためのカードケースに埋め込まれた無線ＩＣタグとの間で相互に無線通信を行い、その無線ＩＣタグに記憶された各種情報を読み出すことができ、またその無線ＩＣタグに任意の情報を書き込むことができる。
【００１２】
なお、無線ＩＣタグが埋め込まれたカードおよびカードケースの詳細は後述する。
１５は入力制御部であり、図示しない半導体メモリ等の記憶手段やＣＰＵ等の演算および制御手段等を備えたものである。この入力制御部１５は、記憶手段に記憶した制御プログラム（ソフトウェア）に基づいてキーボード部１２、カードリーダ部１３、および無線タグリーダライタ部１４等からなる入力ユニット２０全体を制御する。
【００１３】
この入力ユニット２０は、入力制御部１５を含めキーボード部１２、カードリーダ部１３、無線タグリーダライタ部１４等からなるものであり、その入力制御部１５はケーブル等を介して後述する制御部に接続されているものとする。
１６は記憶部であり、揮発性および不揮発性の半導体メモリや磁気ディスク等で構成され、情報を記憶し、また記憶した情報を読出すことができるものである。この記憶部１６には個人認証装置１全体の動作を制御する制御プログラム（ソフトウェア）、表示部１１に表示する画面データ等を記憶する。
【００１４】
また、記憶部１６は個人認証装置１および上位装置２を使用することができる利用者を識別するための利用者識別情報を予め記憶しておくものとする。
１７は制御部であり、ＣＰＵ等の演算および制御手段等で構成されたものである。この制御部１７は表示部１１、入力制御部１５、記憶部１６、および図示しない通信部等を含めて個人認証装置１全体の動作を記憶部１６に格納された制御プログラム（ソフトウェア）に基づいて制御する。
【００１５】
なお、通信部は通信回線３を介して接続された上位装置２等と相互にする通信を制御する手段であって、任意の情報を送信および受信することができるものである。
また、制御部１７は時刻を計測する時計機能を有しているものとする。
次に、個人認証装置１に使用されるカードおよびカードケースを図３の第１の実施例におけるカードおよびカードケースの説明図に基づいて説明する。
【００１６】
図３（ａ）において、４はカードであり、個人認証装置１および上位装置２を使用することができる利用者を識別するための利用者識別情報が記録された磁気ストライプ４１を備えたものである。
４２は無線タグであり、カード４に付された（埋め込まれた）無線ＩＣタグ等の微小なＩＣチップである。この無線タグ４２は無線タグリーダライタ部１４との間で無線通信を行う通信手段、半導体メモリ等の記憶手段を有し、無線タグリーダライタ部１４から受信した情報を記憶手段に記憶させることができ、また記憶手段に記憶された情報を読み出して無線タグリーダライタ部１４へ送信することができる。
【００１７】
図３（ｂ）において、５はカードケースであり、合成樹脂等で構成され、カード４のケースとして用いるものである。利用者はカード４をこのカードケース５に入れて携帯するものとする。
５１は無線タグであり、カードケース５に付された（埋め込まれた）無線ＩＣタグ等の微小なＩＣチップである。この無線タグ５１も無線タグ４２と同様に無線タグリーダライタ部１４との間で無線通信を行う通信手段、半導体メモリ等の記憶手段を有し、無線タグリーダライタ部１４から受信した情報を記憶手段に記憶させることができ、また記憶手段に記憶された情報を読み出して無線タグリーダライタ部１４へ送信することができる。
【００１８】
なお、カード４およびカードケース５を所持した利用者が操作するために個人認証装置１に近接したとき、無線タグリーダライタ部１４は、無線タグ４２および無線タグ５１との間で無線通信が可能になるものとする。
また、無線タグ（４２、５１）の記憶手段に利用者を識別するための利用者識別情報（個人識別情報）および利用者が個人認証装置１で本人であることが認証されて業務を開始した直近の時刻である前回業務開始時刻情報、すなわち直近に行なわれた本人認証で本人であることが確認された時刻情報（本人認証記録情報）が予め記憶されているものとする。
【００１９】
さらに、無線タグは一般にＩＣカードよりも安価であることが知られている。
上述した構成の作用について説明する。
図４は第１の実施例における個人認証処理を示すフローチャートであり、図中Ｓで表すステップにしたがって説明する。
なお、以下に説明する各実施例における各部の動作は、図示しないメモリや磁気ディスク等の記憶手段に格納されたプログラム（ソフトウェア）に基づいて図示しない中央処理装置等の制御手段により制御される。
【００２０】
Ｓ１ａ：個人認証装置１全体が起動すると制御部１７の指示により表示部１１は図５（ａ）に示す選択画面を表示する。この選択画面は、例えば「操作を選択してください。  １．業務／入力  ２．参照  ３．保守  ４．終了」等の文言で構成されたものである。
利用者はキーボード部１２の「１」、「２」、または「３」の数字キーを押下して処理を選択するものとする。
【００２１】
入力制御部１５はキーボード部１２で押下されたキーを検知し、制御部１７へ押下されたキーを識別するための情報を通知する。
Ｓ２ａ：押下されたキーを識別するための情報の通知を受け、処理が選択されたことを検知した制御部１７の指示により表示部１１は図５（ｂ）に示すカードパス誘導画面を表示する。このカードパス誘導画面は、例えば「ＩＤカードをパスしてください」等の文言および図柄で構成されたものである。
【００２２】
Ｓ３ａ：利用者はカードパス誘導画面にしたがってカードリーダユニットのカードガイドで形成されるカード走行路にカード４を挿入し、手動操作により走行させるものとする。
Ｓ４ａ：入力制御部１５の指示によりカードリーダ部１３は磁気ヘッドでカード４の磁気ストライプ４１に記録された利用者識別情報を読取る。また、入力制御部１５の指示により無線タグリーダライタ部１４はカード４に埋め込まれた無線タグ４２およびカードケース５に埋め込まれた無線タグ５１に記憶された利用者識別情報ならびに前回業務開始時刻情報を読取る。
【００２３】
入力制御部１５は磁気ストライプ４１から読取った利用者識別情報、無線タグ４２および無線タグ５１から読取ったそれぞれの利用者識別情報ならびに前回業務開始時刻情報を記憶手段に記憶させる。
Ｓ５ａ：また、入力制御部１５は磁気ストライプ４１から読取った利用者識別情報、無線タグ４２および無線タグ５１から読取ったそれぞれの利用者識別情報ならびに前回業務開始時刻情報を制御部１７へ送信する。
【００２４】
Ｓ６ａ：制御部１７は受信した磁気ストライプ４１から読取った利用者識別情報、無線タグ４２読取った利用者識別情報、無線タグ５１から読取った利用者識別情報のすべてを比較（照合）し、一致するか否かを判定する。
すべての利用者識別情報が一致すると判定されると処理をＳ７ａへ移行させ、一方、一致しないと判定されると個人認証処理を終了する。
【００２５】
なお、磁気ストライプ４１から読取った利用者識別情報、無線タグ４２読取った利用者識別情報、無線タグ５１から読取った利用者識別情報のいずれか一つでも読取ることができない場合、一致しないと判定されるものとする。
Ｓ７ａ：すべての利用者識別情報が一致すると判定されると制御部１７は無線タグ４２から受信した前回業務開始時刻情報と無線タグ５１から受信した前回業務開始時刻情報とを比較（照合）し、一致するか否かを判定する。一致すると判定されると処理をＳ８ａへ移行させ、一方、一致しないと判定されると個人認証処理を終了する。
【００２６】
なお、利用者が初めて個人認証処理を行う場合、前回業務開始時刻情報は無線タグ４２、５１に記憶されていないため、この判定は行わず処理をＳ８ａへ移行させるものとする。
Ｓ８ａ：前回業務開始時刻情報が一致すると判定されると制御部１７の指示により表示部１１は図５（ｃ）に示すＩＤ暗証番号入力画面を表示する。このＩＤ暗証番号入力画面は「ＩＤ番号を入力してください」等の文言および入力されたＩＤ番号を「＊」に置き換えて表示するＩＤ暗証番号表示領域等で構成されたものである。
【００２７】
利用者はこのＩＤ暗証番号入力画面の誘導にしたがってＩＤ暗証番号を入力するものとする。
ここで、ＩＤ暗証番号とは利用者が本人であることを認証するための予め登録された暗証番号であり、番号（数字）に限られることなく英字等であってもよい。このＩＤ暗証番号は（磁気ストライプ４１、無線タグ４２および無線タグ５１に記録された）利用者識別情報に関連付けて記憶部１６に予め記憶されているものとする。
【００２８】
Ｓ９ａ：入力制御部１５の指示によりキーボード部１２はＩＤ暗証番号の入力を受付け、入力制御部１５は入力されたＩＤ暗証番号を制御部１７へ通知する。
制御部１７は既に受信した利用者識別情報に基づいて記憶部１６を検索して利用者のＩＤ暗証番号を抽出し、そのＩＤ暗証番号と受信したＩＤ暗証番号と比較し、一致するか否か、すなわちその利用者は既に登録された利用者であるかを判定する。
【００２９】
利用者が登録されていることを確認すると制御部１７はその旨を上位装置２へ送信するとともに制御部１７の指示により表示部１１は例えば図５（ｅ）に示す画面を表示して次の処理へ移行させ、業務の作業を開始するものとする。
このとき、制御部１７の指示により無線タグリーダライタ部１４はカード４に埋め込まれた無線タグ４２およびカードケース５に埋め込まれた無線タグ５１に業務を開始した時刻である「前回業務開始時刻情報」を記憶させる。
【００３０】
一方、利用者が登録されていないときは制御部１７の指示により表示部１１は図５（ａ）に示す画面を表示し、ＩＤ暗証番号の再入力または終了を利用者に選択させる。再入力が選択されると処理をＳ８ａへ移行し、再度ＩＤ暗証番号の入力を行うものとする。
このように磁気ストライプ４１から読取った利用者識別情報、無線タグ４２読取った利用者識別情報、無線タグ５１から読取った利用者識別情報のすべてが一致すること、および無線タグ４２に記憶された前回業務開始時刻情報と無線タグ５１に記憶された前回業務開始時刻情報が一致することで利用者は正規のカード４を所持し、そのカード４は偽造されたものでないことを確認する個人認証処理を行う。
【００３１】
以上説明したように、第１の実施例では、磁気ストライプ４１から読取った利用者識別情報、無線タグ４２読取った利用者識別情報、無線タグ５１から読取った利用者識別情報のすべてが一致すること、および無線タグ４２に記憶された前回業務開始時刻情報と無線タグ５１に記憶された前回業務開始時刻情報が一致することを確認して本人認証を行うようにしたことにより、金融機関やクレジットカード会社等は莫大な費用を負担することなくカードの偽造等を防止することができるという効果が得られる。
【実施例２】
【００３２】
図６は第２の実施例における個人認証装置の構成を示すブロック図、図７は第２の実施例における個人認証装置の外観図である。
図６および図７において、１は個人認証装置であり、利用者の操作を受付け、予め登録された利用者であるか否かの個人認証を行うものである。この個人認証装置１は、例えばコンピュータ等の情報処理装置であり、各種アプリケーションソフトウェアを実行することができ、個人認証の処理を含め各種処理を実行することができるものとする。
【００３３】
また、個人認証装置１は、通信回線３を介してサーバコンピュータ等の情報処理装置である上位装置２と相互に通信可能に接続されている。
１１は表示部であり、ＣＲＴや液晶ディスプレイ等で構成されたものである。この表示部１１は利用者に入力操作等の誘導を行う画面および入力された情報等を表示するものである。
【００３４】
１１１は無線タグリーダライタ部であり、無線通信可能な無線ＩＣタグとの間で無線通信を行うものである。この無線タグリーダライタ部１１１は個人認証装置１を操作する利用者が所持するカードおよび後述するキーボード部１２に埋め込まれた無線ＩＣタグとの間で相互に無線通信を行い、その無線ＩＣタグに記憶された各種情報を読み出すことができ、またその無線ＩＣタグに任意の情報を書き込むことができる。
【００３５】
表示部１１は、図示しない記憶手段に記憶した制御プログラム（ソフトウェア）に基づいて無線タグリーダライタ部１１１を含め表示部１１全体を制御する。
なお、無線ＩＣタグが埋め込まれたカードは図８に示すように第１の実施例で説明したカード４と同様なのでその説明を省略する。
また、カード４を所持した利用者が操作するために個人認証装置１に近接したとき、無線タグリーダライタ部１１１は、無線タグ４２との間で無線通信が可能になるのも同様である。
【００３６】
１２はキーボード部であり、英数字キーやファンクションキー等の入力キーで構成され、利用者の操作を受付けて情報を入力するためのものである。
１３はカードリーダ部であり、磁気ヘッド等によりカードの磁気ストライプに記録された情報を読取るカード読取り機構等を備えたものである。このカードリーダ部１３は、利用者の手動操作によりカードガイドに沿って走行されたカードの磁気ストライプに記録された利用者を識別するための利用者識別情報等を読取るものである。
【００３７】
１５は入力制御部であり、図示しない半導体メモリ等の記憶手段やＣＰＵ等の演算および制御手段等を備えたものである。この入力制御部１５は、記憶手段に記憶した制御プログラム（ソフトウェア）に基づいてキーボード部１２およびカードリーダ部１３等からなる入力ユニット２０全体を制御する。
この入力ユニット２０は、入力制御部１５を含めキーボード部１２、カードリーダ部１３等からなるものであり、その入力制御部１５はケーブル等を介して後述する制御部に着脱（接続・非接続）可能になっているものとする。
【００３８】
２１は無線タグであり、入力ユニット２０のキーボード部１２に付された（埋め込まれた）無線ＩＣタグ等の微小なＩＣチップである。この無線タグ２１も無線タグ４２と同様に無線タグリーダライタ部１１１との間で無線通信を行う通信手段、半導体メモリ等の記憶手段を有し、無線タグリーダライタ部１１１から受信した情報を記憶手段に記憶させることができ、また記憶手段に記憶された情報を読み出して無線タグリーダライタ部１１１へ送信することができる。
【００３９】
なお、入力ユニット２０が制御部に接続されている場合、この無線タグ２１は無線タグリーダライタ部１１１に充分接近しているため無線タグリーダライタ部１１１との間で無線通信ができるものとする。
１６は記憶部であり、揮発性および不揮発性の半導体メモリや磁気ディスク等で構成され、情報を記憶し、また記憶した情報を読出すことができるものである。この記憶部１６には個人認証装置１全体の動作を制御する制御プログラム（ソフトウェア）、表示部１１に表示する画面データ等を記憶する。
【００４０】
また、記憶部１６は個人認証装置１並びに上位装置２を使用することができる利用者を識別するための利用者識別情報およびこの個人認証装置１で使用することができる、すなわち後述する制御部に装着することが許可された入力ユニット２０を識別するための入力ユニット識別情報を予め記憶しておくものとする。
１７は制御部であり、ＣＰＵ等の演算および制御手段等で構成されたものである。この制御部１７は表示部１１、入力制御部１５、記憶部１６、および図示しない通信部等を含めて個人認証装置１全体の動作を記憶部１６に格納された制御プログラム（ソフトウェア）に基づいて制御する。
【００４１】
なお、通信部は通信回線３を介して接続された上位装置２等と相互にする通信を制御する手段であって、任意の情報を送信および受信することができるものである。
また、制御部１７は時刻を計測する時計機能を有しているものとする。
無線タグ２１の記憶手段に入力ユニット２０を識別するための入力ユニット識別情報およびこの入力ユニット２０の使用が許可された利用者を識別するための一または二以上の利用者識別情報が記憶され、無線タグ４２の記憶手段にカード４を所持する利用者を識別するための利用者識別情報が記憶されているものとする。
【００４２】
さらに、無線タグは一般にＩＣカードよりも安価であることが知られている。
上述した構成の作用について説明する。
図９は第１の実施例における個人認証処理を示すフローチャートであり、図中Ｓで表すステップにしたがって説明する。
Ｓ１ｂ〜Ｓ３ｂ：図４におけるＳ１ａ〜Ｓ３ａと同様なのでその説明を省略する。
【００４３】
Ｓ４ｂ：表示部１１の指示により無線タグリーダライタ部１１１はカード４に埋め込まれた無線タグ４２から利用者識別情報、入力ユニット２０に埋め込まれた無線タグ２１から入力ユニット識別情報および利用者識別情報を読取る。
なお、本実施例ではＳ３ｂにおいてカード４の磁気ストライプから利用者識別情報を読取るようにしたが、カード４の磁気ストライプから利用者識別情報を読取ることなく無線タグ４２から読取った利用者識別情報を使用するようにしてもよい。
【００４４】
Ｓ５ｂ：表示部１１は無線タグ４２から読取った利用者識別情報および無線タグ２１から読取った入力ユニット識別情報および利用者識別情報を制御部１７へ送信する。
Ｓ６ｂ：制御部１７は受信した入力ユニット識別情報と記憶部１６に予め記憶した入力ユニット識別情報とを照合し、一致するか否かを判定する。
一致すると判定されると処理をＳ７ｂへ移行させ、一方、一致しないと判定されると個人認証処理を終了する。
【００４５】
Ｓ７ｂ：制御部１７は無線タグ４２から読取った利用者識別情報が無線タグ２１から読取った入力ユニット２０の使用が許可された利用者を識別するための利用者識別情報とを照合し、一致するか（利用者識別情報に存在するか）否か、すなわち登録されているか否かを判定する。
一致する（存在する）と判定されると処理をＳ８ｂへ移行させ、一方、一致しないと判定されると個人認証処理を終了する。
【００４６】
Ｓ８ｂ：入力ユニット２０の使用が許可された利用者を識別するための利用者識別情報と一致すると判定されると制御部１７の指示により表示部１１は図５（ｃ）に示すＩＤ暗証番号入力画面を表示する。このＩＤ暗証番号入力画面は「ＩＤ番号を入力してください」等の文言および入力されたＩＤ番号を「＊」に置き換えて表示するＩＤ暗証番号表示領域等で構成されたものである。
【００４７】
利用者はこのＩＤ暗証番号入力画面の誘導にしたがってＩＤ暗証番号を入力するものとする。
ここで、ＩＤ暗証番号とは利用者が本人であることを認証するための予め登録された暗証番号であり、番号（数字）に限られることなく英字等であってもよい。このＩＤ暗証番号は（無線タグ４２に記録された）利用者識別情報に関連付けて記憶部１６に予め記憶されているものとする。
【００４８】
Ｓ９ｂ：入力制御部１５の指示によりキーボード部１２はＩＤ暗証番号の入力を受付け、入力制御部１５は入力されたＩＤ暗証番号を制御部１７へ通知する。
制御部１７は既に受信した（無線タグ４２から読取った）利用者識別情報に基づいて記憶部１６を検索して利用者のＩＤ暗証番号を抽出し、そのＩＤ暗証番号と受信したＩＤ暗証番号と比較し、一致するか否か、すなわちその利用者は既に登録された利用者であるかを判定する。
【００４９】
利用者が登録されていることを確認すると制御部１７はその旨を上位装置２へ送信するとともに制御部１７の指示により表示部１１は例えば図５（ｅ）に示す画面を表示して次の処理へ移行させ、業務の作業を開始するものとする。
一方、利用者が登録されていないときは制御部１７の指示により表示部１１は図５（ａ）に示す画面を表示し、ＩＤ暗証番号の再入力または終了を利用者に選択させる。再入力が選択されると処理をＳ８ｂへ移行し、再度ＩＤ暗証番号の入力を行うものとする。
【００５０】
このように無線タグ２１から読取った入力ユニット識別情報が記憶部１６に予め記憶した入力ユニット識別情報と一致すること、および無線タグ４２から読取った利用者識別情報が無線タグ２１から読取った入力ユニット２０の使用が許可された利用者を識別するための利用者識別情報と一致する（利用者識別情報に存在する）ことで利用者は正規のカード４を所持し、そのカード４は偽造されたものでないことを確認する個人認証処理を行うとともに正規な入力ユニットであることを確認する。
【００５１】
なお、本実施例においても第１の実施例と同様に磁気ストライプ４１から読取った利用者識別情報、無線タグ４２読取った利用者識別情報、カードケース５の無線タグ５１から読取った利用者識別情報のすべてが一致すること、および無線タグ４２に記憶された前回業務開始時刻情報と無線タグ５１に記憶された前回業務開始時刻情報が一致することを確認して本人認証を行うようにしてもよい。
【００５２】
以上説明したように、第２の実施例では、無線タグ２１から読取った入力ユニット識別情報が記憶部１６に予め記憶した入力ユニット識別情報と一致すること、および無線タグ４２から読取った利用者識別情報が無線タグ２１から読取った入力ユニット２０の使用が許可された利用者を識別するための利用者識別情報と一致する（利用者識別情報に存在する）ことを確認するようにしたことにより、特定の入力ユニットおよび特定の利用者でなければ操作することができなくなり、金融機関やクレジットカード会社等は莫大な費用を負担することなく安全性を確保することができるという効果が得られる。
【図面の簡単な説明】
【００５３】
【図１】第１の実施例における個人認証装置の構成を示すブロック図
【図２】第１の実施例における個人認証装置の外観図
【図３】第１の実施例におけるカードおよびカードケースの説明図
【図４】第１の実施例における個人認証処理を示すフローチャート
【図５】第１の実施例における個人認証装置の表示される画面の説明図
【図６】第２の実施例における個人認証装置の構成を示すブロック図
【図７】第２の実施例における個人認証装置の外観図
【図８】第２の実施例におけるカードの説明図
【図９】第２の実施例における個人認証処理を示すフローチャート
【符号の説明】
【００５４】
１    個人認証装置
２    上位装置
３    通信回線
４    カード
５    カードケース
１１  表示部
１２  キーボード部
１３  カードリーダ部
１４  無線タグリーダライタ部
１５  入力制御部
１６  記憶部
１７  制御部
２０  入力ユニット
４１  磁気ストライプ
４２、５１  無線タグ
【図１】
2008210044.tif 000003
【図２】
2008210044.tif 000004
【図３】
2008210044.tif 000005
【図４】
2008210044.tif 000006
【図５】
2008210044.tif 000007
【図６】
2008210044.tif 000008
【図７】
2008210044.tif 000009
【図８】
2008210044.tif 000010
【図９】
2008210044.tif 000011